(57)【要約】  【課題】  大径、小径ディスクの安定再生が可能な光ディスク再生装置を提供する。  【解決手段】  搬送ローラと、ディスクの送込み方向外周が当接する当接部１２を有し前後移動可能に支持されたストッパ１０と、支軸３を中心に回動可能に支持されストッパ１０が係合するストッパアーム２０と、一側面の内側近傍で前後に延在しディスクの側方外周が当接する当接部３３を有し後端部の支軸２２を中心にアーム２０に回動可能に支持されたセレクトアーム３０と、左右移動可能に支持されアーム３０の前端部の凸軸３４が係合するカム溝４１を有したカムスライダ４０と、ラック４５と噛み合いスライダ４０を移動させるギア５２と、アーム２０を付勢するバネ５０と、アーム３０を付勢するバネ５１とを備える。カム溝４１は、左右に延在する基溝４２と、溝４２の内側端から延び出す小径ディスク用カム溝４３と、溝４２の外側端から延び出す大径ディスク用カム溝４３とを含む。【選択図】      図１
2006302384.tif 000002
【特許請求の範囲】
【請求項１】
前面の開口から挿入された小径又は大径の光ディスクを規定のローディング位置まで導
くディスク搬送機構を備えた光ディスク再生装置において、
前記ディスク搬送機構は、
前面の内側近傍に配設されて前記光ディスクを送り込む搬送ローラと、
前記光ディスクが送り込まれる過程で前記光ディスクの送込み方向の外周が当接する左
右に一対の当接部を有し、前後方向に移動可能に支持されたディスクストッパと、
支軸を中心に回動可能に支持され、内側端部に前記ディスクストッパの凸軸が係合する
長穴を有したストッパアームと、
左右両側面のうちの一側面の内側近傍で前後に延在し、前記光ディスクが送り込まれる
過程で前記光ディスクの側方の外周が当接する当接部を有しつつ、後端部の支軸を中心と
して前記ストッパアームの外側端部に回動可能に支持されたセレクトアームと、
前面の内側近傍で左右方向に移動可能に支持され、前記セレクトアームの前端部の凸軸
が係合するカム溝を有したカムスライダと、
前記カムスライダの一方の移動端近傍から他方の移動端近傍まで前記カムスライダのラ
ックと噛み合って前記カムスライダを移動させる駆動ギアと、
前記ディスクストッパが前方に移動するような方向に前記ストッパアームを付勢する捩
りコイルバネと、
前記セレクトアームを内方に向けて付勢する引張りコイルバネと、より成り、
前記カム溝は、
左右に延在する基溝と、
前記基溝の内側端から延び出し、小径の前記光ディスクが送り込まれたときに前記セレ
クトアームの前記凸軸を案内する小径ディスク用カム溝と、
前記基溝の外側端から延び出し、大径の前記光ディスクが送り込まれたときに前記セレ
クトアームの前記凸軸を案内する大径ディスク用カム溝と、を含むことを特徴とする光デ
ィスク再生装置。
【請求項２】
前面の開口から挿入された小径又は大径の光ディスクを規定のローディング位置まで導
くディスク搬送機構を備えた光ディスク再生装置において、
前記ディスク搬送機構は、
前面の内側近傍に配設されて前記光ディスクを送り込む搬送ローラと、
前記光ディスクが送り込まれる過程で前記光ディスクの送込み方向の外周が当接する左
右に一対の当接部を有し、前後方向に移動可能に支持されたディスクストッパと、
支軸を中心に回動可能に支持され、前記ディスクストッパの凸軸が係合する長穴を有し
たストッパアームと、
左右両側面のうちの一側面の内側近傍で前後に延在し、前記光ディスクが送り込まれる
過程で前記光ディスクの側方の外周が当接する当接部を有しつつ、後端部の支軸を中心と
して前記ストッパアームに回動可能に支持されたセレクトアームと、
前面の内側近傍で左右方向に移動可能に支持され、前記セレクトアームの前端部の凸軸
が係合するカム溝を有したカムスライダと、
前記カムスライダの一方の移動端近傍から他方の移動端近傍まで前記カムスライダのラ
ックと噛み合って前記カムスライダを移動させる駆動ギアと、
前記ディスクストッパが前方に移動するような方向に前記ストッパアームを付勢する第
１の弾性部材と、
前記セレクトアームを内方に向けて付勢する第２の弾性部材と、より成り、
前記カム溝は、
左右に延在する基溝と、
前記基溝の内側端から延び出し、小径の前記光ディスクが送り込まれたときに前記セレ
クトアームの前記凸軸を案内する小径ディスク用カム溝と、
前記基溝の外側端から延び出し、大径の前記光ディスクが送り込まれたときに前記セレ
クトアームの前記凸軸を案内する大径ディスク用カム溝と、を含むことを特徴とする光デ
ィスク再生装置。
【請求項３】
前記第１の弾性部材が捩りコイルバネであることを特徴とする請求項２に記載の光ディ
スク再生装置。
【請求項４】
前記第２の弾性部材が引張りコイルバネであることを特徴とする請求項２又は３に記載
の光ディスク再生装置。
【発明の詳細な説明】
【技術分野】
【０００１】
本発明は、ＣＤやＤＶＤ等の光ディスクに記録されている情報を再生する光ディスク再
生装置に関し、特に、大小２種類の直径の光ディスクそれぞれに対応可能なスロットイン
方式の光ディスク再生装置に関する。
【背景技術】
【０００２】
一般に、光ディスク再生装置では、規定のローディング位置でクランプした光ディスク
を回転させ、その光ディスクの記録面にレーザー光を出射してその記録面で反射したレー
ザー光を受光することでその記録面上の情報を読み取り、これにより再生が行われる。特
にスロットイン方式の光ディスク再生装置では、そのような実際の再生動作にまつわる駆
動に際し、前面の開口から挿入された光ディスクを規定のローディング位置すなわちクラ
ンプ位置まで導くというローディングが行われる。そのローディング動作は、ディスク搬
送機構によって実行される。なお、ここでいうスロットイン方式の光ディスク再生装置は
、カーオーディオ用や携帯用や家庭での据置き用の光ディスク再生装置として一般に採用
される。
【０００３】
ところで、一般に市販されている光ディスクは、直径が２種類に標準化されており、そ
の一方は直径が１２ｃｍの大径の光ディスク（以下「大径ディスク」と記すことがある）
、他方は直径が８ｃｍの小径の光ディスク（以下「小径ディスク」と記すことがある）で
ある。そして、近年の光ディスク再生装置としては、直径の異なる２種類の光ディスクに
ついて１台の装置でローディングを可能にすべく、大径ディスクであっても、小径ディス
クであっても、それぞれの光ディスクを中心を同じとする規定のローディング位置に導く
ことができるディスク搬送機構を備えたものがある。
【０００４】
このようなディスク搬送機構の従来の一例について引き続き説明する。例えば特許文献
１に記載されたディスク搬送機構は、その主な構成要素として、搬送ローラと、ディスク
ストッパと、ストッパアームと、ロックアームと、フロントアームと、を備える。搬送ロ
ーラは、光ディスク再生装置の外形を構成するシャーシの前面の内側近傍に配設され、前
面の開口から挿入された光ディスクを後面へ向けて送り込む役割を果たす。
【０００５】
ディスクストッパは、光ディスクが送り込まれる過程で光ディスクの送込み方向の外周
が当接する左右に一対の当接部を有し、前後方向に移動可能に支持されている。ストッパ
アームは、支軸を中心に回動可能に支持され、内側端部にディスクストッパの凸軸が係合
する長穴を有している。ロックアームは、ストッパアームと一部が重なった状態で左右方
向に若干量移動可能且つ回動可能に支持され、内側端部にストッパアームの中央部のカム
溝に係合する凸軸を有している。ここでのストッパアームは、ロックアームとの間の第１
の引張りコイルバネによって、ディスクストッパが前方に移動するような方向に付勢され
ている。更にロックアームは、第２の引張りコイルバネによって、その外側端部が前方に
向けて付勢されている。
【０００６】
フロントアームは、左右両側面のうちの一側面の内側近傍で前後に延在しつつ、後端部
がロックアームの外側端部の外方に配置された状態で、中央部の支軸を中心に回動可能に
支持され、光ディスクが送り込まれる過程で光ディスクの側方の外周が当接する当接部を
前端部に有している。ここでのフロントアームは、第３の引張りコイルバネによって、そ
の前端部が内方に向けて付勢されている。
【０００７】
ここで、ロックアームの凸軸が係合するストッパアームのカム溝は、前後に延在する基
溝を含む。更に、その基溝の後端に形成され、小径ディスクが送り込まれたときに第１の
引張りコイルバネの復元力を受けながらその凸軸が嵌まり込む小径ディスク用係止溝を含
む。更に、その基溝の前端に形成され、大径ディスクが送り込まれたときに第１の引張り
コイルバネの復元力を受けながらその凸軸が嵌まり込む大径ディスク用係止溝を含む。初
期状態では、ロックアームの凸軸がその小径ディスク用係止溝に嵌まり込んでおり、これ
によりストッパアームとロックアームとが互いにロックされた状態になっている。
【０００８】
このような構成のもと、小径ディスクが挿入された場合、その小径ディスクは搬送ロー
ラによって送り込まれていく。すると、先ず、小径ディスクの送込み方向（進行方向）の
外周がディスクストッパの当接部に当接し、そのまま小径ディスクと共にディスクストッ
パが後方へ押し込まれていく。これに応じて、ディスクストッパの凸軸と長穴で係合した
ストッパアームは回動していく。その際、ロックアームの凸軸がストッパアームの小径デ
ィスク用係止溝に嵌まり込んだままの状態であり、ロックアームはストッパアームと互い
にロックされた状態で一体的に回動していく。ロックアームが所定角度回動すると、ター
ンテーブルや光ヘッド等を搭載したドライブユニットが上昇し始める。
【０００９】
そして、小径ディスクの中心がローディング位置の中心に達するとほぼ同時に、ドライ
ブユニットの上昇が終了し、小径ディスクがクランプされる。その後、第２の引張りコイ
ルバネの復元力を受けてロックアームと共にストッパアームが更に若干回動し、これに応
じて、ディスクストッパが若干量後方へ移動して、ディスクストッパの当接部が小径ディ
スクの外周から離れる。これで、小径ディスクのローディング動作が完了する。
【００１０】
一方、大径ディスクが挿入された場合、その大径ディスクは搬送ローラによって送り込
まれていく。すると、先ず、大径ディスクの側方の外周がフロントアームの当接部に当接
し、そのままフロントアームはその前端部が外方に向けて回動する。これに応じて、フロ
ントアームの後端部がロックアームの外側端部に当接し、そのままロックアームが若干量
移動する。これにより、ロックアームの凸軸がストッパアームの小径ディスク用係止溝か
ら外れ、ロックアームとストッパアームとの互いのロックが解除された状態になる。
【００１１】
その一方では、大径ディスクの送込み方向（進行方向）の外周がディスクストッパの当
接部に当接し、そのまま大径ディスクと共にディスクストッパが後方へ押し込まれていく
。これに応じて、ディスクストッパの凸軸と長穴で係合したストッパアームは回動してい
く。その際、ロックアームとストッパアームとの互いのロックが解除されているため、ロ
ックアームの凸軸がストッパアームの基溝に案内されながら、先ずはストッパアームが単
独で回動していく。
【００１２】
ロックアームの凸軸がストッパアームの基溝の前端に達するまでストッパアームが回動
すると、その凸軸がストッパアームの大径ディスク用係止溝に嵌まり込み、ストッパアー
ムとロックアームとが互いにロックされた状態になる。そして今度は、ロックアームはス
トッパアームと互いにロックされた状態で一体的に回動していく。ロックアームが所定角
度回動すると、ドライブユニットが上昇し始める。
【００１３】
そして、大径ディスクの中心がローディング位置の中心に達するとほぼ同時に、ドライ
ブユニットの上昇が終了し、大径ディスクがクランプされる。その後、第２の引張りコイ
ルバネの復元力を受けてロックアームと共にストッパアームが更に若干回動し、これに応
じて、ディスクストッパが若干量後方へ移動して、ディスクストッパの当接部が大径ディ
スクの外周から離れる。これで、大径ディスクのローディング動作が完了する。
【００１４】
このようにして、直径の異なる小径ディスク、大径ディスクそれぞれを規定のローディ
ング位置に導き、再生することができる。
【特許文献１】特開平６−４４６６０号公報
【発明の開示】
【発明が解決しようとする課題】
【００１５】
しかし、上記した従来の光ディスク再生装置では、大径ディスクの再生中に外部から不
用意な衝撃を受けると、ロックアームの凸軸がストッパアームの大径ディスク用係止溝か
ら瞬間的に外れてしまう場合がある。この場合、ロックアームとストッパアームとの互い
のロックが瞬間的ではあるが解除された状態であるため、ストッパアームは、第１の引張
りコイルバネの復元力を受けて、ロックアームの凸軸がストッパアームの基溝に沿って小
径ディスク用係止溝まで案内されながら、単独で回動する。これに応じて、ディスクスト
ッパが前方に移動する。
【００１６】
そうすると、前方に移動したディスクストッパの当接部が、再生中の回転する大径ディ
スクの外周に当接してしまい、再生が不可能になるという問題が生じる。このような大径
ディスクの再生中に生じる問題は、外部から衝撃を受け易い状況下におかれるカーオーデ
ィオ用や携帯用の光ディスク再生装置に特に顕著である。
【００１７】
なお、小径ディスクの再生中においては、ロックアームの凸軸がストッパアームの小径
ディスク用係止溝から仮に外れたとしても、ストッパアームが受けている第１の引張りコ
イルバネの復元力によって、その凸軸が再びその小径ディスク用係止溝に嵌まり込む。従
って、小径ディスクについては、再生中にストッパアームが単独で回動することは無いし
、勿論ディスクストッパが前方に移動することも無く、安定して再生が行える。
【００１８】
そこで本発明は、上記の問題に鑑みてなされたものであり、外部から不用意な衝撃を受
けても、大径、小径のいずれの光ディスクも安定して再生できるスロットイン方式の光デ
ィスク再生装置を提供することを目的とするものである。
【課題を解決するための手段】
【００１９】
上記目的を達成するため、本発明による光ディスク再生装置は、前面の開口から挿入さ
れた小径又は大径の光ディスクを規定のローディング位置まで導くディスク搬送機構を備
えた光ディスク再生装置において、次の点を特徴とする。前記ディスク搬送機構は、搬送
ローラと、ディスクストッパと、ストッパアームと、セレクトアームと、カムスライダと
、駆動ギアと、捩りコイルバネと、引張りコイルバネと、より成る。搬送ローラは、前面
の内側近傍に配設されて前記光ディスクを送り込む役割を果たす。ディスクストッパは、
前記光ディスクが送り込まれる過程で前記光ディスクの送込み方向の外周が当接する左右
に一対の当接部を有し、前後方向に移動可能に支持されている。ストッパアームは、支軸
を中心に回動可能に支持され、内側端部に前記ディスクストッパの凸軸が係合する長穴を
有している。セレクトアームは、左右両側面のうちの一側面の内側近傍で前後に延在し、
前記光ディスクが送り込まれる過程で前記光ディスクの側方の外周が当接する当接部を有
しつつ、後端部の支軸を中心として前記ストッパアームの外側端部に回動可能に支持され
ている。カムスライダは、前面の内側近傍で左右方向に移動可能に支持され、前記セレク
トアームの前端部の凸軸が係合するカム溝を有している。駆動ギアは、前記カムスライダ
の一方の移動端近傍から他方の移動端近傍まで前記カムスライダのラックと噛み合って前
記カムスライダを移動させる役割を果たす。捩りコイルバネは、前記ディスクストッパが
前方に移動するような方向に前記ストッパアームを付勢する。引張りコイルバネは、前記
セレクトアームを内方に向けて付勢する。そして、前記カム溝は、左右に延在する基溝を
含む。更に、前記基溝の内側端から延び出し、小径の前記光ディスクが送り込まれたとき
に前記セレクトアームの前記凸軸を案内する小径ディスク用カム溝を含む。更に、前記基
溝の外側端から延び出し、大径の前記光ディスクが送り込まれたときに前記セレクトアー
ムの前記凸軸を案内する大径ディスク用カム溝を含む。
【００２０】
このような構成にすると、小径ディスク又は大径ディスクの再生中においては、ディス
クストッパの位置がセレクトアームの凸軸とカムスライダの小径ディスク用カム溝又は大
径ディスク用カム溝の終端との係合によって規制されることになるが、カムスライダの移
動はそのラックと駆動ギアとの噛合いによって実質制限されるため、外部から衝撃を受け
ても、その凸軸がその小径ディスク用カム溝又は大径ディスク用カム溝の終端から外れる
ことは無い。つまり、再生中でのディスクストッパの位置もその当接部が小径ディスク又
は大径ディスクの外周から離れた位置におかれ、互いに当接することは無い。
【００２１】
また、上記目的を達成するための本発明による光ディスク再生装置は、前面の開口から
挿入された小径又は大径の光ディスクを規定のローディング位置まで導くディスク搬送機
構を備えた光ディスク再生装置において、次の点を特徴とする。前記ディスク搬送機構は
、搬送ローラと、ディスクストッパと、ストッパアームと、セレクトアームと、カムスラ
イダと、駆動ギアと、第１の弾性部材と、第２の弾性部材と、より成る。搬送ローラは、
前面の内側近傍に配設されて前記光ディスクを送り込む役割を果たす。ディスクストッパ
は、前記光ディスクが送り込まれる過程で前記光ディスクの送込み方向の外周が当接する
左右に一対の当接部を有し、前後方向に移動可能に支持されている。ストッパアームは、
支軸を中心に回動可能に支持され、前記ディスクストッパの凸軸が係合する長穴を有して
いる。セレクトアームは、左右両側面のうちの一側面の内側近傍で前後に延在し、前記光
ディスクが送り込まれる過程で前記光ディスクの側方の外周が当接する当接部を有しつつ
、後端部の支軸を中心として前記ストッパアームに回動可能に支持されている。カムスラ
イダは、前面の内側近傍で左右方向に移動可能に支持され、前記セレクトアームの前端部
の凸軸が係合するカム溝を有している。駆動ギアは、前記カムスライダの一方の移動端近
傍から他方の移動端近傍まで前記カムスライダのラックと噛み合って前記カムスライダを
移動させる役割を果たす。第１の弾性部材は、前記ディスクストッパが前方に移動するよ
うな方向に前記ストッパアームを付勢する。第２の弾性部材は、前記セレクトアームを内
方に向けて付勢する。そして、前記カム溝は、左右に延在する基溝を含む。更に、前記基
溝の内側端から延び出し、小径の前記光ディスクが送り込まれたときに前記セレクトアー
ムの前記凸軸を案内する小径ディスク用カム溝を含む。更に、前記基溝の外側端から延び
出し、大径の前記光ディスクが送り込まれたときに前記セレクトアームの前記凸軸を案内
する大径ディスク用カム溝を含む。
【００２２】
このような構成にしても、小径ディスク又は大径ディスクの再生中においては、ディス
クストッパの位置がセレクトアームの凸軸とカムスライダの小径ディスク用カム溝又は大
径ディスク用カム溝の終端との係合によって規制されることになるが、カムスライダの移
動はそのラックと駆動ギアとの噛合いによって実質制限されるため、外部から衝撃を受け
ても、その凸軸がその小径ディスク用カム溝又は大径ディスク用カム溝の終端から外れる
ことは無い。つまり、再生中でのディスクストッパの位置もその当接部が小径ディスク又
は大径ディスクの外周から離れた位置におかれ、互いに当接することは無い。
【００２３】
ここで、実用性を踏まえると、前記第１の弾性部材が捩りコイルバネであることが好ま
しい。また、前記第２の弾性部材が引張りコイルバネであることが好ましい。
【発明の効果】
【００２４】
本発明の光ディスク再生装置によれば、再生中に外部から不用意な衝撃を受けても、小
径ディスク、大径ディスクのいずれの光ディスクも安定して再生できる。
【発明を実施するための最良の形態】
【００２５】
以下に、本発明の光ディスク再生装置の一実施形態について、図面を参照しながら詳述
する。図１〜図１０はいずれも本発明の一実施形態である光ディスク再生装置の内部を透
過した上面図である。特に、図１は光ディスクのローディング前である初期状態を示して
いる。図２〜図４はこの順に小径ディスクのローディング中の一状態を示し、図５は小径
ディスクのローディング完了状態を示している。図６〜図９はこの順に大径ディスクのロ
ーディング中の一状態を示し、図１０は大径ディスクのローディング完了状態を示してい
る。
【００２６】
本実施形態の光ディスク再生装置におけるディスク搬送機構は、その主な構成要素とし
て、搬送ローラ（不図示）と、ディスクストッパ１０と、ストッパアーム２０と、セレク
トアーム３０と、カムスライダ４０と、を備える。搬送ローラは、光ディスク再生装置の
外形を構成するシャーシ１の前面１ａの内側近傍に配設され、前面１ａの開口から挿入さ
れた光ディスク（図中の二点鎖線で示す大径ディスクＤ１、小径ディスクＤ２参照）を後
面１ｂへ向けて送り込む役割を果たす。
【００２７】
ディスクストッパ１０は、ローディング位置の中心より後面１ｂ寄りに配置され、中央
部で前後方向に延在する突条１１が、シャーシ１に形成された前後方向の案内溝２と係合
することで、前後方向に移動可能に支持されている。このディスクストッパ１０には、光
ディスクが送り込まれる過程で光ディスクの送込み方向（図中の上側）の外周が当接する
左右に一対の当接部１２、１２が設けられている。また、このディスクストッパ１０の中
央部には、詳細は後述するストッパアーム２０の長穴２１に係合する凸軸１３が設けられ
ている。
【００２８】
ストッパアーム２０は、ディスクストッパ１０と一部が重なった状態で左側面１ｃへ向
けて延び出し、そのほぼ中央部において、シャーシ１に固定の支軸３を中心に回動可能に
支持されている。このストッパアーム２０の内側端部（図中の右側の端部）には、ディス
クストッパ１０の凸軸１３が係合する長穴２１が形成されている。また、このストッパア
ーム２０の外側端部（図中の左側の端部）には、詳細は後述するセレクトアーム３０を支
持するための支軸２２が設けられている。ここでのストッパアーム２０は、捩りコイルバ
ネ５０によって、ディスクストッパ１０が前方に移動するような方向（図では支軸３を中
心とした時計回りの方向）に付勢されている。
【００２９】
セレクトアーム３０は、左右両側面１ｃ、１ｄのうちの一側面である左側面１ｃの内側
近傍で前後に延在し、上下に２つの部材３１、３２が一体化されて成るものであって、そ
の後端部において、ストッパアーム２０の外側端部の支軸２２を中心として回動可能に支
持されている。このセレクトアーム３０の一方の構成要素である上側部材３１の前端部に
は、光ディスクが送り込まれる過程で光ディスクの側方（図中の左側）の外周が当接する
当接部３３が設けられている。また、このセレクトアーム３０の他方の構成要素である下
側部材３２の前端部には、詳細は後述するカムスライダ４０のカム溝４１に係合する凸軸
３４が設けられている。ここでのセレクトアーム３０は、引張りコイルバネ５１によって
、その前端部が内方に向けて（図では支軸２２を中心とした反時計回りの方向）付勢され
ている。
【００３０】
カムスライダ４０は、前面１ａの内側近傍で左右方向に移動可能に支持され、その左端
側の上面には、セレクトアーム３０（下側部材３２）の凸軸３４が係合するカム溝４１が
形成されている。このカムスライダ４０の右端部には、ラック４５が形成されている。こ
のラック４５には、カムスライダ４０が一方の移動端である右端の近傍から他方の移動端
である左端の近傍まで移動する間、駆動ギア５２が噛み合うようになっており、この間、
駆動ギア５２の回転駆動によってカムスライダ４０が移動させられる。但し、カムスライ
ダ４０が移動端である右端又は左端に位置しているときには、ラック４５と駆動ギア５２
との噛合いは外れるようになっている。
【００３１】
ここで、セレクトアーム３０の凸軸３４が係合するカム溝４１は、左右に延在する基溝
４２を含む。更に、基溝４２の内側端（図中の右側の端）から一旦前方へずれて右側へ向
けて延び出し、小径ディスクＤ２が送り込まれたときにセレクトアーム３０の凸軸３４を
案内する小径ディスク用カム溝４３を含む。更に、基溝４２の外側端（図中の左側の端）
から前方且つ右側へ向けて延び出し、大径ディスクＤ１が送り込まれたときにセレクトア
ーム３０の凸軸３４を案内する大径ディスク用カム溝４４を含む。ローディング前の初期
状態では、セレクトアーム３０は、引張りコイルバネ５１から直接的にその復元力を受け
つつ、ストッパアーム２０を介在して捩りコイルバネ５０から間接的にその復元力を受け
ているため、その凸軸３４は、カム溝４１のうちの基溝４２の内側端に規制された状態に
なっている（図１参照）。
【００３２】
続いて、このような構成のディスク搬送機構によるローディング動作について、小径デ
ィスクＤ２、大径ディスクＤ１の順に説明する。
【００３３】
図１に示すように、小径ディスクＤ２が挿入された場合、不図示の光センサによってそ
の挿入が検知されて搬送ローラが駆動し、その小径ディスクＤ２は搬送ローラによって送
り込まれていく。
【００３４】
すると、図２に示すように、先ず、小径ディスクＤ２の送込み方向（進行方向）の外周
がディスクストッパ１０の当接部１２に当接し、そのまま小径ディスクＤ２と共にディス
クストッパ１０が後方へ押し込まれる。これに応じて、ディスクストッパ１０の凸軸１３
と長穴２１で係合したストッパアーム２０は、支軸３を中心として捩りコイルバネ５０の
復元力に抗しながら回動（図では反時計回りに回動）し、これにより、ストッパアーム２
０と支軸２２で支持されたセレクトアーム３０は、引張りコイルバネ５１の復元力に抗し
ながら前方に移動する。これに伴い、セレクトアーム３０の凸軸３４は、カムスライダ４
０の基溝４２の内側端から前方に外れて、小径ディスク用カム溝４３の始端における前側
の斜面に当接し、そのままその斜面を押圧しながら小径ディスク用カム溝４３に沿って移
動する。カムスライダ４０は、先ずはその押圧力を受けて左方向へ移動していき、図３に
示すように、そのラック４５が駆動ギア５２と噛み合い始める。
【００３５】
続いて、カムスライダ４０は、今度はラック４５と噛み合う駆動ギア５２から駆動力を
受けて、そのまま左方向へ移動していく。カムスライダ４０が所定量移動すると、ターン
テーブルや光ヘッド等を搭載したドライブユニットが上昇し始める。このドライブユニッ
トの駆動は、カムスライダ４０との別途のカム機構によって行われる。一方、カムスライ
ダ４０が移動している際、搬送ローラによる小径ディスクＤ２の送込みは継続されてディ
スクストッパ１０が後方へ移動しており、これに応じて、ストッパアーム２０が支軸３を
中心として回動している。これと併せて、セレクトアーム３０の凸軸３４がカムスライダ
４０の小径ディスク用カム溝４３に拘束されながらその終端へ向けて案内され、セレクト
アーム３０はストッパアーム２０との支軸２２を中心として回動している。
【００３６】
そして、図４に示すように、小径ディスクＤ２の中心がローディング位置の中心に達す
るとほぼ同時に、ドライブユニットの上昇が終了し、小径ディスクＤ２がクランプされる
。但し、カムスライダ４０は、その後も駆動ギア５２から駆動力を受けて左方向へ移動し
ていく。その際、セレクトアーム３０の凸軸３４がカムスライダ４０の小径ディスク用カ
ム溝４３に拘束されながらその終端へ向けて案内されていくため、セレクトアーム３０及
びストッパアーム２０が回動し続ける。これに応じて、ディスクストッパ１０が後方へ移
動して、ディスクストッパ１０の当接部１２が小径ディスクＤ２の外周から離れる。
【００３７】
その後、図５に示すように、セレクトアーム３０の凸軸３４がカムスライダ４０の小径
ディスク用カム溝４３の終端へ達するとともに、カムスライダ４０のラック４５と駆動ギ
ア５２との噛合いが外れて、カムスライダ４０が停止する。なお、その直前で、カムスラ
イダ４０に形成されたバネ性のある突起片４６が、シャーシ１に固定のピン４を乗り越え
、このピン４による突起片４６の係止により、カムスライダ４０の右方向への移動が規制
される。これで、小径ディスクＤ２のローディング動作が完了する。
【００３８】
次に、大径ディスクＤ１のローディング動作について説明する。図１に示すように、大
径ディスクＤ１が挿入された場合、不図示の光センサによってその挿入が検知されて搬送
ローラが駆動し、その大径ディスクＤ１は搬送ローラによって送り込まれていく。
【００３９】
すると、図６に示すように、先ず、大径ディスクＤ１の側方の外周がセレクトアーム３
０の当接部３３に当接し、そのままセレクトアーム３０は、ストッパアーム２０との支軸
２２を中心として引張りコイルバネ５１の復元力に抗しながら、その前端部が外方に向け
て回動（図では反時計回りに回動）する。これに伴い、セレクトアーム３０の凸軸３４は
、カムスライダ４０の基溝４２に沿ってその内側端からその外側端に移動する。
【００４０】
続いて、図７に示すように、大径ディスクＤ１の送込み方向（進行方向）の外周がディ
スクストッパ１０の当接部１２に当接し、そのまま大径ディスクＤ１と共にディスクスト
ッパ１０が後方へ押し込まれる。これに応じて、ディスクストッパ１０の凸軸１３と長穴
２１で係合したストッパアーム２０は、支軸３を中心として捩りコイルバネ５０の復元力
に抗しながら回動（図では反時計回りに回動）し、これにより、ストッパアーム２０と支
軸２２で支持されたセレクトアーム３０は、引張りコイルバネ５１の復元力に抗しながら
前方に移動する。これに伴い、セレクトアーム３０の凸軸３４は、カムスライダ４０の基
溝４２の外側端から前方に外れて、大径ディスク用カム溝４４の始端における前側の斜面
に当接し、そのままその斜面を押圧しながら大径ディスク用カム溝４４に沿って移動する
。カムスライダ４０は、先ずはその押圧力を受けて左方向へ移動していき、図８に示すよ
うに、そのラック４５が駆動ギア５２と噛み合い始める。
【００４１】
続いて、カムスライダ４０は、今度はラック４５と噛み合う駆動ギア５２から駆動力を
受けて、そのまま左方向へ移動していく。カムスライダ４０が所定量移動すると、ドライ
ブユニットが上昇し始める。一方、カムスライダ４０が移動している際、搬送ローラによ
る大径ディスクＤ１の送込みは継続されてディスクストッパ１０が後方へ移動しており、
これに応じて、ストッパアーム２０が支軸３を中心として回動している。これと併せて、
セレクトアーム３０の凸軸３４がカムスライダ４０の大径ディスク用カム溝４４に拘束さ
れながらその終端へ向けて案内され、セレクトアーム３０はストッパアーム２０との支軸
２２を中心として回動している。
【００４２】
そして、図９に示すように、大径ディスクＤ１の中心がローディング位置の中心に達す
るとほぼ同時に、ドライブユニットの上昇が終了し、大径ディスクＤ１がクランプされる
。但し、カムスライダ４０は、その後も駆動ギア５２から駆動力を受けて左方向へ移動し
ていく。その際、セレクトアーム３０の凸軸３４がカムスライダ４０の大径ディスク用カ
ム溝４４に拘束されながらその終端へ向けて案内されていくため、セレクトアーム３０及
びストッパアーム２０が回動し続ける。これに応じて、ディスクストッパ１０が後方へ移
動して、ディスクストッパ１０の当接部１２が大径ディスクＤ１の外周から離れる。
【００４３】
その後、図１０に示すように、セレクトアーム３０の凸軸３４がカムスライダ４０の大
径ディスク用カム溝４４の終端へ達するとともに、カムスライダ４０のラック４５と駆動
ギア５２との噛合いが外れて、カムスライダ４０が停止する。なお、その直前で、カムス
ライダ４０に形成されたバネ性のある突起片４６が、シャーシ１に固定のピン４を乗り越
え、このピン４による突起片４６の係止により、カムスライダ４０の右方向への移動が規
制される。これで、大径ディスクＤ１のローディング動作が完了する。
【００４４】
このようにして、直径の異なる小径ディスクＤ２、大径ディスクＤ１それぞれを規定の
ローディング位置に導き、再生することができる。
【００４５】
そして、このような光ディスク再生装置では、大径ディスクＤ１の再生中に外部から不
用意な衝撃を受けても、ディスクストッパ１０が前方に移動してしまうことは無く、その
結果として、その当接部１２が再生中の回転する大径ディスクＤ１の外周に当接すること
は無い。その理由を以下に示す。再生中でのディスクストッパ１０の位置は、ストッパア
ーム２０を介して支持されたセレクトアーム３０の凸軸３４と、カムスライダ４０の大径
ディスク用カム溝４４の終端との係合によって規制されているが、カムスライダ４０が大
きく移動しない限り、セレクトアーム３０の凸軸３４がカムスライダ４０の大径ディスク
用カム溝４４の終端から外れることは無い。そしてカムスライダ４０は、外部から衝撃を
受けて移動しようとしても、直ちにそのラック４０と駆動ギア４６と噛み合う様相になる
ため、実質、移動は制限されている。そうすると、セレクトアーム３０の凸軸３４がカム
スライダ４０の大径ディスク用カム溝４４の終端から外れることは無く、再生中でのディ
スクストッパ１０の位置もその当接部１２が大径ディスクＤ１の外周から離れた位置にお
かれるわけである。
【００４６】
また、小径ディスクＤ２の再生中においては、ディスクストッパ１０の位置がセレクト
アーム３０の凸軸３４とカムスライダ４０の小径ディスク用カム溝４３の終端との係合に
よって規制されているが、大径ディスク２の再生中と同様に、カムスライダ４０の移動は
実質制限されており、外部から衝撃を受けても、その凸軸３４がその小径ディスク用カム
溝４３の終端から外れることは無い。つまり、再生中でのディスクストッパ１０の位置も
その当接部１２が小径ディスクＤ２の外周から離れた位置におかれる。
【００４７】
従って、再生中に外部から不用意な衝撃を受けても、小径ディスクＤ２、大径ディスク
Ｄ１のいずれの光ディスクも安定して再生できる。
【００４８】
ちなみに、ローディング位置からの小径ディスクＤ２、大径ディスクＤ１の排出すなわ
ちアンローディング動作については、駆動ギア５２の逆回転によるカムスライダ４０の右
方向への移動、及び搬送ローラの逆回転駆動によって行われる。その際、カムスライダ４
０のラック４５が駆動ギア５２に噛み合うまでのカムスライダ４０の右方向への移動は、
ドライブユニットに搭載された光ヘッドの内周端位置への移動に伴う別途のカム機構によ
ってなされる。
【００４９】
その他本発明は上記の実施形態に限定されず、本発明の趣旨を逸脱しない範囲で、種々
の変更が可能である。例えば、捩りコイルバネ５０については、ディスクストッパ１０が
前方に移動するような方向にストッパアーム２０を付勢することができる限り、引張りコ
イルバネや圧縮コイルバネ等の他の弾性部材に置き換えても構わない。また、引張りコイ
ルバネ５１についても、セレクトアーム３０を内方に向けて付勢することができる限り、
捩りコイルバネや圧縮コイルバネ等の他の弾性部材に置き換えても構わない。
【産業上の利用可能性】
【００５０】
本発明は、大径、小径の光ディスクそれぞれに対応可能なスロットイン方式の光ディス
ク再生装置に有用である。
【図面の簡単な説明】
【００５１】
【図１】本発明の一実施形態である光ディスク再生装置における初期状態を示す上面図である。
【図２】本発明の一実施形態である光ディスク再生装置における小径ディスクのローディング中の一状態を示す上面図である。
【図３】本発明の一実施形態である光ディスク再生装置における小径ディスクのローディング中の一状態を示す上面図である。
【図４】本発明の一実施形態である光ディスク再生装置における小径ディスクのローディング中の一状態を示す上面図である。
【図５】本発明の一実施形態である光ディスク再生装置における小径ディスクのローディング完了状態を示す上面図である。
【図６】本発明の一実施形態である光ディスク再生装置における大径ディスクのローディング中の一状態を示す上面図である。
【図７】本発明の一実施形態である光ディスク再生装置における大径ディスクのローディング中の一状態を示す上面図である。
【図８】本発明の一実施形態である光ディスク再生装置における大径ディスクのローディング中の一状態を示す上面図である。
【図９】本発明の一実施形態である光ディスク再生装置における大径ディスクのローディング中の一状態を示す上面図である。
【図１０】本発明の一実施形態である光ディスク再生装置における小径ディスクのローディング完了状態を示す上面図である。
【符号の説明】
【００５２】
１    シャーシ
２    案内溝
３    支軸
４    ピン
１０    ディスクストッパ
１１    突条
１２    当接部
１３    凸軸
２０    ストッパアーム
２１    長穴
２２    支軸
３０    セレクトアーム
３１    上側部材
３２    下側部材
３３    当接部
３４    凸軸
４０    カムスライダ
４１    カム溝
４２    基溝
４３    小径ディスク用カム溝
４４    大径ディスク用カム溝
４５    ラック
４６    突起片
５０    捩りコイルバネ
５１    引張りコイルバネ
５２    駆動ギア
Ｄ１    大径ディスク
Ｄ２    小径ディスク
【図１】
2006302384.tif 000003
【図２】
2006302384.tif 000004
【図３】
2006302384.tif 000005
【図４】
2006302384.tif 000006
【図５】
2006302384.tif 000007
【図６】
2006302384.tif 000008
【図７】
2006302384.tif 000009
【図８】
2006302384.tif 000010
【図９】
2006302384.tif 000011
【図１０】
2006302384.tif 000012